(57)【要約】  【課題】  検査予約先の端末において、検査予約の内容を検査予約に係る患者の医用画像とともに表示させることができる検査予約サーバ等を提供する。  【解決手段】  この検査予約サーバは、医用画像データを記録するための医用画像データ記録部３２と、検査予約データを記録するための検査予約データ記録部３６と、検査予約元のクライアント端末３から要求があった場合に、検査対象患者の医用画像をクライアント端末３に表示させるための医用画像表示処理部３３と、検査予約データを検査対象患者の医用画像データに関連付けて検査予約データ記録部３６に記録させるための検査予約データ受付処理部３４と、検査予約データの内容を、当該検査予約データに関連付けられている検査対象患者の医用画像とともに、検査予約先のクライアント端末４に表示させる検査予約データ表示処理部３７とを具備する。【選択図】  図２
2005250856.tif 000002
【特許請求の範囲】
【請求項１】
サーバと、前記サーバとネットワークを介してそれぞれ接続された検査予約元の第１のクライアント端末及び検査予約先の第２のクライアント端末との間で通信することにより、診断を目的とする検査の予約を行うための方法であって、
前記サーバが、前記第１のクライアント端末から要求があった場合に、前記要求に応じて、検査対象患者の医用画像データに基づく画像を前記第１のクライアント端末に表示させるステップ（ａ）と、
前記サーバが、前記検査対象患者の検査の予約に関する検査予約データを前記第１のクライアント端末から受け付けるステップ（ｂ）と、
前記サーバが、前記検査予約データを、前記検査対象患者の医用画像データに関連付けて記録するステップ（ｃ）と、
前記サーバが、前記検査予約データの内容を、当該検査予約データに関連付けられた前記検査対象患者の医用画像データに基づく画像とともに、前記第２のクライアント端末に表示させるステップ（ｄ）と、
を具備する検査予約方法。
【請求項２】
ステップ（ｃ）が、前記サーバが、前記検査予約データを、ステップ（ａ）において前記第１のクライアント端末に表示させた前記検査対象患者の医用画像データに関連付けて記録するステップであることを特徴とする請求項１記載の検査予約方法。
【請求項３】
前記サーバが、ステップ（ｂ）にて受け付けた前記検査予約データに基づいて、複数の医用画像データの中から前記検査対象患者の医用画像データを検索するステップ（ｄ）を更に具備し、
ステップ（ｃ）が、前記サーバが、前記検査予約データを、ステップ（ｄ）において検索した前記検査対象患者の医用画像データに関連付けて記録するステップであることを特徴とする請求項１記載の検査予約方法。
【請求項４】
ネットワークを介して検査予約元の第１のクライアント端末及び検査予約先の第２のクライアント端末に接続され、前記第１のクライアント端末及び前記第２のクライアント端末との間で通信することにより、診断を目的とする検査の予約を行うためのサーバであって、
複数の医用画像データを記録するための医用画像データ記録部と、
検査対象患者の検査の予約に関する検査予約データを記録するための検査予約データ記録部と、
前記第１のクライアント端末から要求があった場合に、前記要求に応じて、前記医用画像データ記録部に記録されている前記複数の医用画像データの中の検査対象患者の医用画像データに基づく画像を前記第１のクライアント端末に表示させるための医用画像表示処理部と、
前記検査予約データを前記第１のクライアント端末から受け付け、前記検査対象患者の医用画像データに関連付けて前記検査予約データ記録部に記録させるための検査予約データ受付処理部と、
前記検査予約データ記録部に記録されている前記検査予約データの内容を、当該検査予約データに関連付けられている前記検査対象患者の医用画像データに基づく医用画像とともに、前記検査予約先端末に表示させる検査予約データ表示処理部と、
を具備する検査予約サーバ。
【請求項５】
前記検査予約データ受付処理部が、前記検査予約データを、前記医用画像表示処理部が前記第１のクライアント端末に表示させた前記検査対象患者の医用画像データに関連付けて記録することを特徴とする請求項４記載の検査予約サーバ。
【請求項６】
前記検査予約データ受付処理部が前記第１のクライアント端末から受け付けた前記検査予約データに基づいて、前記医用画像データ記録部に記録されている前記複数の医用画像データの中から前記検査対象患者の医用画像データを検索する医用画像データ検索処理部を更に具備し、
前記検査予約データ受付処理部が、前記検査予約データを、前記医用画像データ検索処理部が検索した前記検査対象患者の医用画像データに関連付けて記録することを特徴とする請求項４記載の検査予約サーバ。
【請求項７】
診断を目的とする検査の予約を行うためにＣＰＵに実行させるためのプログラムであって、
検査予約元の第１のクライアント端末から要求があった場合に、前記要求に応じて、検査対象患者の医用画像データに基づく画像を前記第１のクライアント端末に表示させる手順（ａ）と、
前記検査対象患者の検査の予約に関する検査予約データを前記第１のクライアント端末から受け付ける手順（ｂ）と、
前記検査予約データを、前記検査対象患者の医用画像データに関連付けて記録する手順（ｃ）と、
前記検査予約データの内容を、当該検査予約データに関連付けられた前記検査対象患者の医用画像データに基づく画像とともに、検査予約先の第２のクライアント端末に表示させる手順（ｄ）と、
を前記ＣＰＵに実行させるための検査予約プログラム。
【請求項８】
手順（ｃ）が、前記検査予約データを、手順（ａ）において前記第１のクライアント端末に表示させた前記検査対象患者の医用画像データに関連付けて記録する手順であることを特徴とする請求項７記載の検査予約プログラム。
【請求項９】
手順（ｂ）にて受け付けた前記検査予約データに基づいて、複数の医用画像データの中から前記検査対象患者の医用画像データを検索する手順（ｄ）を更に具備し、
手順（ｃ）が、前記検査予約データを、手順（ｄ）において検索した前記検査対象患者の医用画像データに関連付けて記録する手順であることを特徴とする請求項７記載の検査予約プログラム。
【発明の詳細な説明】
【技術分野】
【０００１】
本発明は、診断を目的とする検査の予約をネットワークを介して行うための検査予約方法に関し、さらに、そのような検査予約方法を用いる検査予約サーバ、及び、検査予約プログラムに関する。
【背景技術】
【０００２】
従来より、病院等の医療施設において、放射線（Ｘ線等）、超音波、ＭＲ（磁気共鳴）等を用いた検査が行われている。このような検査を行うためには検査装置及び／又は熟練した検査技師が必要であり、検査装置及び／又は検査技師を確保するために予め検査予約を行う必要がある。近年、このような検査予約は、ネットワーク接続された機器を用いて行われるようになってきている。
【０００３】
ネットワーク接続された機器を用いて検査予約を行う場合、検査依頼内容の入力操作が必要となる。このような状況に鑑み、本出願人は、画像データベース内の保管画像を参照する検査依頼方法であって、画像参照時に、ある患者に関する患者情報が入力されると、画像参照機能の表示画面に、当該患者に関する過去画像を検査依頼内容と対応付けて表示し、当該患者に関して、過去に行った検査と同一の検査を行う旨の入力があった場合には、表示画面から、検査単位もしくは画像単位に、検査依頼内容と同一条件での撮影依頼を発行する検査依頼方法等を提案した（例えば、特許文献１参照）。
【０００４】
ところで、ある検査（例えば、ＣＴ（Computed Tomography）撮影）を行う際に、その検査対象である患者の過去の医用画像（例えば、Ｘ線撮影画像）を見ることができれば、検査の便宜となる場合がある。
しかしながら、特許文献１に掲載された検査依頼方法は、過去に行った検査と同一の検査を行う場合に、過去の検査依頼内容と同一条件での撮影依頼を発行するものであるが、検査依頼先の端末において、検査依頼内容を過去画像とともに表示するものではない。
【０００５】
【特許文献１】特開２００３−１６４４４２号公報（第１頁）
【発明の開示】
【発明が解決しようとする課題】
【０００６】
そこで、上記の点に鑑み、本発明は、検査予約先の端末において、検査予約の内容を検査予約に係る患者の医用画像とともに表示することができる検査予約方法を提供することを目的とする。また、本発明は、そのような検査予約サーバ及び検査予約プログラムを提供することを更なる目的とする。
【課題を解決するための手段】
【０００７】
以上の課題を解決するため、本発明に係る検査予約方法は、サーバと、サーバとネットワークを介してそれぞれ接続された検査予約元の第１のクライアント端末及び検査予約先の第２のクライアント端末との間で通信することにより、診断を目的とする検査の予約を行うための方法であって、サーバが、第１のクライアント端末から要求があった場合に、要求に応じて、検査対象患者の医用画像データに基づく画像を第１のクライアント端末に表示させるステップ（ａ）と、サーバが、検査対象患者の検査の予約に関する検査予約データを第１のクライアント端末から受け付けるステップ（ｂ）と、サーバが、検査予約データを、検査対象患者の医用画像データに関連付けて記録するステップ（ｃ）と、サーバが、検査予約データの内容を、当該検査予約データに関連付けられた検査対象患者の医用画像データに基づく画像とともに、第２のクライアント端末に表示させるステップ（ｄ）とを具備する。
【０００８】
ここで、ステップ（ｃ）が、サーバが、検査予約データを、ステップ（ａ）において第１のクライアント端末に表示させた検査対象患者の医用画像データに関連付けて記録するステップであることとしても良い。
また、サーバが、ステップ（ｂ）にて受け付けた検査予約データに基づいて、複数の医用画像データの中から検査対象患者の医用画像データを検索するステップ（ｄ）を更に具備し、ステップ（ｃ）が、サーバが、検査予約データを、ステップ（ｄ）において検索した検査対象患者の医用画像データに関連付けて記録するステップであることとしても良い。
【０００９】
また、本発明に係る検査予約サーバは、ネットワークを介して検査予約元の第１のクライアント端末及び検査予約先の第２のクライアント端末に接続され、第１のクライアント端末及び第２のクライアント端末との間で通信することにより、診断を目的とする検査の予約を行うためのサーバであって、複数の医用画像データを記録するための医用画像データ記録部と、検査対象患者の検査の予約に関する検査予約データを記録するための検査予約データ記録部と、第１のクライアント端末から要求があった場合に、要求に応じて、医用画像データ記録部に記録されている複数の医用画像データの中の検査対象患者の医用画像データに基づく画像を第１のクライアント端末に表示させるための医用画像表示処理部と、検査予約データを第１のクライアント端末から受け付け、検査対象患者の医用画像データに関連付けて検査予約データ記録部に記録させるための検査予約データ受付処理部と、検査予約データ記録部に記録されている検査予約データの内容を、当該検査予約データに関連付けられている検査対象患者の医用画像データに基づく医用画像とともに、検査予約先端末に表示させる検査予約データ表示処理部とを具備する。
【００１０】
ここで、検査予約データ受付処理部が、検査予約データを、医用画像表示処理部が第１のクライアント端末に表示させた検査対象患者の医用画像データに関連付けて記録することとしても良い。
また、検査予約データ受付処理部が第１のクライアント端末から受け付けた検査予約データに基づいて、医用画像データ記録部に記録されている複数の医用画像データの中から検査対象患者の医用画像データを検索する医用画像データ検索処理部を更に具備し、検査予約データ受付処理部が、検査予約データを、医用画像データ検索処理部が検索した検査対象患者の医用画像データに関連付けて記録することとしても良い。
【００１１】
また、本発明に係る検査予約プログラムは、診断を目的とする検査の予約を行うためにＣＰＵに実行させるためのプログラムであって、検査予約元の第１のクライアント端末から要求があった場合に、要求に応じて、検査対象患者の医用画像データに基づく画像を第１のクライアント端末に表示させる手順（ａ）と、検査対象患者の検査の予約に関する検査予約データを第１のクライアント端末から受け付ける手順（ｂ）と、検査予約データを、検査対象患者の医用画像データに関連付けて記録する手順（ｃ）と、検査予約データの内容を、当該検査予約データに関連付けられた検査対象患者の医用画像データに基づく画像とともに、検査予約先の第２のクライアント端末に表示させる手順（ｄ）とをＣＰＵに実行させる。
【００１２】
ここで、手順（ｃ）が、検査予約データを、手順（ａ）において第１のクライアント端末に表示させた検査対象患者の医用画像データに関連付けて記録する手順であることとしても良い。
また、手順（ｂ）にて受け付けた検査予約データに基づいて、複数の医用画像データの中から検査対象患者の医用画像データを検索する手順（ｄ）を更に具備し、手順（ｃ）が、検査予約データを、手順（ｄ）において検索した検査対象患者の医用画像データに関連付けて記録する手順であることとしても良い。
【発明の効果】
【００１３】
上記構成によれば、検査予約先のクライアント端末において、検査予約の内容を検査予約に係る患者の医用画像とともに表示することができ、検査の便宜を図ることができる。
【発明を実施するための最良の形態】
【００１４】
以下、図面に基づいて本発明の実施の形態について説明する。なお、同一の構成要素には同一の参照番号を付して、説明を省略する。
図１は、本発明の一実施形態に係る検査予約サーバを用いたシステムを示す図である。図１に示すように、このシステム１は、医療施設の例としての診療所１１、１２、１３、…、病院２１、２２、２３、…が、広域ネットワークを介して、データセンター４０に接続されることにより構成される。データセンター４０には、本発明の一実施形態としての検査予約サーバ２が設置されている。
システム１は、病院２１、２２、２３、…で行う検査の予約を診療所１１、１２、１３、…から行うためのシステムである。なお、広域ネットワークとして、専用回線、公衆回線、インターネット等を利用することができる。
【００１５】
診療所１１、１２、１３、…の各々には、放射線画像撮影装置や超音波診断装置等の撮影モダリティ４と、撮影モダリティ４から医用画像データを入力してデータセンター４０内の検査予約サーバ２に転送するクライアント端末３と、ファイアウォール機能を有するゲートウェイ６と、医用画像をフィルム等にプリントアウトするためのプリンタ５等が、ローカルエリアネットワーク（ＬＡＮ）を介して接続されている。
【００１６】
クライアント端末３は、撮影モダリティ４を制御すると共に、撮影モダリティ４から画像データを入力して所定の期間格納する。
クライアント端末３においては、画像データに対して画像処理を施したり、画像データに基づいて診断用の画像を表示することができる。ただし、毎日蓄積される医用画像データの量は膨大であるので、診療所に長期間保存することはせずに、診療所から離れた場所にあるデータセンター４０内の検査予約サーバ２に転送し、そこで保管するようにしている。これにより、診療所において、医用画像データが記録された記録媒体を保管するためのスペースや、スペースを確保するための費用が削減できる。
【００１７】
病院２１、２２、２３、…の各々には、診療所１１、１２、１３、…と同様に、ＣＴ（Computed Tomography）装置やＭＲＩ（Magnetic Resonance Imaging）装置等の撮影モダリティ８と、撮影モダリティ８から医用画像データを入力してデータセンター４０内の検査予約サーバ２に転送するクライアント端末７と、ファイアウォール機能を有するゲートウェイ１０と、医用画像をフィルム等にプリントアウトするためのプリンタ９等が、ローカルエリアネットワーク（ＬＡＮ）を介して接続されている。
【００１８】
図２は、本発明の一実施形態に係る検査予約サーバの構成の概要を示すブロック図である。図２に示すように、検査予約サーバ２は、医用画像データ受信部３１と、医用画像データ記録部３２と、医用画像表示処理部３３と、検査予約データ受付処理部３４と、医用画像データ検索処理部３５と、検査予約データ記録部３６と、検査予約データ表示処理部３７とを具備する。
【００１９】
医用画像データ受信部３１は、診療所１１、１２、１３、…内に設置されたクライアント端末３、及び病院２１、２２、２３、…内に設置されたクライアント端末７から医用画像データを受信して、医用画像データ記録部３２に記録させる。これにより、診療所１１、１２、１３、…、及び病院２１、２２、２３、…において、医用画像データが記録された記録媒体を保管するためのスペースや、スペースを確保するための費用が削減できる。
【００２０】
医用画像表示処理部３３は、クライアント端末３から要求があった場合に、要求に応じて、医用画像データ記録部３２に記録されている医用画像データに基づく画像をクライアント端末３に表示させる。なお、医用画像表示処理部３３は、クライアント端末３から要求がなかった場合には、医用画像をクライアント端末３に表示させない。
医用画像データ検索処理部３５は、検査予約データ受付処理部３４から指示を受けた場合、検査予約データ受付処理部３４がクライアント端末３から受け付けた検査予約データに基づいて、医用画像データ記録部３２に記録されている医用画像データの中から検査対象患者の医用画像データを検索する。
【００２１】
検査予約データ受付処理部３４は、医用画像表示処理部３３がクライアント端末３からの要求に応じてクライアント端末３に医用画像を表示させた場合、クライアント端末３から受け付けた検査予約データを、医用画像表示処理部３３がクライアント端末３に表示させた検査対象患者の医用画像データに関連付けて検査予約データ記録部３６に記録させる。一方、クライアント端末３から要求が無く、医用画像表示処理部３３がクライアント端末３に医用画像を表示させなかった場合、検査予約データ受付処理部３４は、医用画像データ検索処理部３５に検査対象患者の医用画像データの検索を行わせる。そして、検査予約データ受付処理部３４は、クライアント端末３から受け付けた検査予約データを、医用画像データ検索処理部３５によって検索された検査対象患者の医用画像データに関連付けて検査予約データ記録部３６に記録させる。
【００２２】
検査予約データ表示処理部３７は、検査予約データ記録部３６に記録されている検査予約データの内容を、当該検査予約データに関連付けられている検査対象患者の医用画像データに基づく医用画像とともに、クライアント端末７に表示させる。
【００２３】
なお、図２に示す医用画像表示処理部３３、検査予約データ受付処理部３４、医用画像データ検索処理部３５、及び、検査予約データ表示処理部３７は、ＣＰＵとソフトウェア（プログラム）で構成することができる。このプログラム並びに医用画像データ及び検査予約データは、ハードディスク、フレキシブルディスク、ＭＯ、ＭＴ、ＲＡＭ、ＣＤ−ＲＷ、又は、ＤＶＤ−ＲＡＭ等の記録媒体に記録することができる。
【００２４】
図３は、システム１の第１の検査予約処理の概要を示すフローチャートである。以下、システム１の第１の検査予約動作について、図３を参照しながら説明する。なお、第１の検査予約動作は、検査予約を行う医師が、検査予約に関するデータを入力する際に、検査対象患者の医用画像の表示を指示する場合の動作である。また、本実施形態においては、Ａ診療所１１（図１参照）の医師が、Ｂ病院２１（図１参照）の撮影モダリティ８を利用する検査の予約を行うものとする。
【００２５】
クライアント端末３の表示画面上には、図４に示す検査予約入力画面が表示されており、検査予約を行う医師が、この検査予約入力画面において検査予約に関するデータ（ここでは、患者名、生年月日、性別、診察券番号、検査予約元病院名、検査予約元医師名、検査予約内容、検査予約先病院名、及び、検査予約日時）を入力する。なお、これらの項目は、例示であり、これらの項目全てが必須ではなく、また、他の項目を入力することとしても良い。図５は、このときのクライアント端末３の表示画面を示す図である。ここでは、医師が、患者「富士  太郎」の検査予約を行うものとする。
【００２６】
さらに、検査予約を行う医師が、所望の医用画像（ここでは、検査対象患者「富士  太郎」の胸部Ｘ線画像とする）の表示を指示すると、クライアント端末３は、検査対象患者の医用画像データを検査予約サーバ２に要求する（ステップＳ１１）。なお、検査予約を行う医師が、検査対象患者の医用画像データをディレクトリパス及びファイル名若しくはＵＲＬ（Uniform Resource Locator）で直接指定することとしても良いし、Ａ診療所において撮影され検査予約サーバ２に保管されている複数の医用画像をサムネイル表示させた後に所望の医用画像を選択することとしても良いし、検査対象患者の氏名、生年月日、撮影日時等を入力することにより所望の医用画像データを指定することとしても良い。
【００２７】
検査予約サーバ２の医用画像表示処理部３３は、クライアント端末３からの要求に応じて、医用画像データ記録部３２に記録されている検査対象患者の医用画像データをクライアント端末３に送信する（ステップＳ２１）。それととともに、医用画像表示処理部３３は、クライアント端末３に表示させた医用画像データのディレクトリパス及びファイル名若しくはＵＲＬ等を検査予約データ受付処理部３４に通知する。
クライアント端末３は、検査対象患者の医用画像データを受信すると、受信した医用画像データに基づく医用画像を表示する（ステップＳ１２）。図６は、このときのクライアント端末３の表示画面を示す図である。
【００２８】
そして、検査予約を行う医師が、検査予約データの送信を指示する（図６において、「予約する」をクリックする）と、クライアント端末３は、医師によって入力された検査予約データを検査予約サーバ２に送信する（ステップＳ１３）。
検査予約サーバ２内の検査予約データ受付処理部３４は、その時間帯に重複する検査予約がないか否かをチェックした後、受信した検査予約データを、医用画像表示処理部３３がクライアント端末３に表示させた検査対象患者の医用画像データに関連付けて検査予約データ記録部３６に記録させる（ステップＳ２２）。具体的には、検査予約データ受付処理部３４は、図７に示すように、検査予約データの末尾に、検査対象患者の医用画像データのディレクトリパス及びファイル名を付加して、検査予約データ記録部３６に記録させる。なお、ディレクトリパス及びファイル名に代えてＵＲＬを付加することとしても良いし、画像データを特定するその他の識別子、ポインタ等を検査予約データに付加することとしても良い。
【００２９】
次に、システム１の第２の検査予約動作について説明する。図８は、システム１の第２の検査予約処理の概要を示すフローチャートである。以下、システム１の第２の検査予約動作について、図８を参照しながら説明する。なお、第２の検査予約動作は、検査予約を行う医師が、検査予約に関するデータを入力する際に、検査対象患者の医用画像の表示を指示しない場合の動作である。
【００３０】
クライアント端末３の表示画面上には、検査予約入力画面（図４参照）が表示されており、検査予約を行う医師が、クライアント端末３に検査予約に関するデータ（ここでは、患者名等）を入力する（図５参照）。そして、検査予約を行う医師が、検査対象患者の医用画像の表示を指示することなく、検査予約データの送信を指示する（図５の「予約する」をクリックする）と、クライアント端末３は、医師によって入力された検査予約データを検査予約サーバ２に送信する（ステップＳ３１）。
【００３１】
検査予約サーバ２内の検査予約データ受付処理部３４は、重複する検査予約がないか否かをチェックした後、受信した検査予約データに基づく検査対象患者の医用画像データの検索を医用画像データ検索処理部３５に指示し、医用画像データ検索処理部３５は、検査予約データに基づく検査対象患者の医用画像データの検索を行う（ステップＳ４１）。一般に、医用画像データには、図９に示すように、画像付帯情報が付加されており、この画像付帯情報には、患者の氏名、撮影年月日等が含まれている。そのため、医用画像データ検索処理部３５は、検査予約データに含まれている検査対象患者の氏名、撮影年月日等を用いて、検査対象患者の医用画像データを検索することができる。
【００３２】
検査予約データ受付処理部３４は、クライアント端末３から受信した検査予約データを、医用画像データ検索処理部３５によって検索された検査対象患者の医用画像データに関連付けて、検査予約データ記録部３６に記録させる（ステップＳ４２）。
【００３３】
次に、システム１の検査予約データ表示動作について説明する。図１０は、システム１の検査予約データ表示処理の概要を示すフローチャートである。以下、システム１の検査予約データ表示動作について、図１０を参照しながら説明する。
病院２１において、検査予約状況の確認を行うとき、検査を行うとき等に、病院２１の医師又は検査技師は、検査予約の一覧表示をクライアント端末７に指示する。
【００３４】
クライアント端末７は、検査予約の一覧表示の指示を受けると、検査予約サーバに検査予約データの一覧表示を要求する（ステップＳ５１）。
検査予約サーバ２は、クライアント端末７から検査予約データの一覧表示の要求を受けると、当該クライアント端末７が設置されている病院（本実施形態においては、病院２１）を検査予約先病院とする検査予約データの一覧画像を作成し、クライアント端末７に送信する（ステップＳ６１）。
クライアント端末７は、検査予約データの一覧画像を受信し、表示画面上に表示する（ステップＳ５２）。
【００３５】
次に、病院２１の医師等が、一覧表示された検査予約データの中から所望の検査予約データを選択すると、クライアント端末７は、選択された検査予約データの内容の表示を検査予約サーバ２に要求する（ステップＳ５３）。
検査予約サーバ２は、クライアント端末７から検査予約データの内容の表示の要求を受けると、医師等によって選択された検査予約データの内容及び当該検査予約データに関連付けられている医用画像データをクライアント端末７に送信する（ステップＳ６２）。
クライアント端末７は、医師等によって選択された検査予約データの内容及び当該検査予約データに関連付けられている医用画像データに基づく医用画像を表示画面上に表示する（ステップＳ５４）。病院２１の医師等は、検査予約データの内容及び当該検査予約データに関連付けられている医用画像データに基づく医用画像を見ながら、検査を行う。
【００３６】
このように、本実施形態によれば、検査予約を行う際に検査対象患者の医用画像がクライアント端末３に表示されている場合には、その医用画像データに関連付けて検査予約データが検査予約データ記録部３６に記録される。また、検査予約を行う際に医用画像がクライアント端末３に表示されていない場合には、検査予約データの内容に基づいて検索された検査対象患者の医用画像データに関連付けて検査予約データが検査予約データ記録部３６に記録される。
一方、予約された検査を行う病院に設置されたクライアント端末７においては、上記のようにして記録された検査予約データに基づいて、検査予約データの内容と共に、検査予約データに関連付けられた医用画像が表示される。従って、予約された検査を行う医師等は、検査対象患者の医用画像を見ながら検査を行うことができ、検査の便宜を図ることができる。
【産業上の利用可能性】
【００３７】
本発明は、診断を目的とする検査の予約をネットワークを介して行うための検査予約方法において利用可能である。さらに、本発明は、検査予約サーバ及び検査予約プログラムにおいて利用可能である。
【図面の簡単な説明】
【００３８】
【図１】本発明の一実施形態に係る検査予約サーバを用いたシステムを示す図である。
【図２】本発明の一実施形態に係る検査予約サーバの構成を示すブロック図である。
【図３】図１のクライアント端末３及び検査予約サーバ２の動作を示すフローチャートである。
【図４】図１のクライアント端末３において表示される検査予約画面の例を示す図である。
【図５】図１のクライアント端末３において表示される検査予約画面の例を示す図である。
【図６】図１のクライアント端末３において表示される検査予約画面の例を示す図である。
【図７】図２の検査予約データ記録部３６に記録される検査予約データと医用画像データ記録部３２に記録される医用画像データの関連を示す図である。
【図８】図１のクライアント端末３及び検査予約サーバ２の動作を示すフローチャートである。
【図９】図２の医用画像データ記録部３２に記録される医用画像データのフォーマットを示す図である。
【図１０】図１のクライアント端末７及び検査予約サーバ２の動作を示すフローチャートである。
【符号の説明】
【００３９】
１  システム
２  検査予約サーバ
３、７  クライアント端末
４、８  撮影モダリティ
５、９  プリンタ
６、１０  ゲートウェイ
１１、１２、１３、…  診療所
２１、２２、２３、…  病院
３１  医用画像データ受信部
３２  医用画像データ記録部
３３  医用画像表示処理部
３４  検査予約データ受付処理部
３５  医用画像データ検索処理部
３６  検査予約データ記録部
３７  検査予約データ表示処理部
４０  データセンター
【図１】
2005250856.tif 000003
【図２】
2005250856.tif 000004
【図３】
2005250856.tif 000005
【図４】
2005250856.tif 000006
【図５】
2005250856.tif 000007
【図６】
2005250856.tif 000008
【図７】
2005250856.tif 000009
【図８】
2005250856.tif 000010
【図９】
2005250856.tif 000011
【図１０】
2005250856.tif 000012